(57)【要約】【課題】基体を金属にて形成することにより、強度、耐薬品性および清掃性を向上し、また金属の素材感に基づく剛性感および硬質感から高級感を得ることができるミラーキャビネット、およびこれを備えた洗面化粧台を提供することを目的としている。【解決手段】上記課題を解決するために、本発明にかかるミラーキャビネットの代表的な構成は、水栓１１および洗面ボール１２を備えた洗面カウンター１０と共に設置されるミラーキャビネット２０であって、金属製の基体２１と、基体２１の前方に取り付けられる鏡２２と、基体２１の後方に空間を形成するスペーサーとを備えたことを特徴とする。【選択図】図１
2008136502.tif 000002
【特許請求の範囲】
【請求項１】
水栓および洗面ボールを備えた洗面カウンターと共に設置されるミラーキャビネットであって、
金属製の基体と、
前記基体の前方に取り付けられる鏡と、
前記基体の後方に空間を形成するスペーサーとを備えたことを特徴とするミラーキャビネット。
【請求項２】
前記基体の対向する２辺を後方に向かって屈曲させたコの字形とすることにより、該基体の屈曲部が前記スペーサーの一部を構成することを特徴とする請求項１記載のミラーキャビネット。
【請求項３】
前記基体は、両側辺を後方に向かって２度屈曲させたリップ溝形とすることにより、該基体の屈曲部が前記スペーサーの一部を構成することを特徴とする請求項１に記載のミラーキャビネット。
【請求項４】
前記基体は、ステンレス鋼にて形成されていることを特徴とする請求項１記載のミラーキャビネット。
【請求項５】
前記基体の下端には、前方に突出して棚を構成する棚兼用端部部材が取り付けられていることを特徴とする請求項１記載のミラーキャビネット。
【請求項６】
前記鏡は、前記基体の前方にヒンジを介して回動可能に取り付けられることを特徴とする請求項１記載のミラーキャビネット。
【請求項７】
前記鏡は前記基体の前方に突出するように設けられた桟に取り付けられており、前記鏡と前記基体との間に収納用の空間が形成されていることを特徴とする請求項１記載のミラーキャビネット。
【請求項８】
請求項１乃至請求項７記載のミラーキャビネットと、
湯水を供給する水栓と、排水口を備えた洗面ボールとを備えた洗面カウンターと、
を備えたことを特徴とする洗面化粧台。
【発明の詳細な説明】
【技術分野】
【０００１】
本発明は、洗面カウンターと共に設置されるミラーキャビネット、もしくはこれらを含む洗面化粧台に関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納等を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００３】
ミラーキャビネットの基体は、根本的には鏡の支持体である。しかし基体には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、特許文献１（特開平０５−１６１５５７）に記載されているように、真空成型にて製造されている場合が多い。
【特許文献１】特開平０５−１６１５５７号公報
【発明の開示】
【発明が解決しようとする課題】
【０００４】
合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。そのため収納部を形成するために棚などを取り付けることができず、立体的な構造物とする必要があり、視覚的に大仰感が増している。
【０００５】
そこで本発明は、基体を金属にて形成することにより、強度、耐薬品性および清掃性を向上し、また金属の素材感に基づく剛性感および硬質感から高級感を得ることができるミラーキャビネット、およびこれを備えた洗面化粧台を提供することを目的としている。
【課題を解決するための手段】
【０００６】
上記課題を解決するために、本発明にかかるミラーキャビネットの代表的な構成は、水栓および洗面ボールを備えた洗面カウンターと共に設置されるミラーキャビネットであって、金属製の基体と、基体の前方に取り付けられる鏡と、基体の後方に空間を形成するスペーサーとを備えたことを特徴とする。
【０００７】
上記構成によれば、ミラーキャビネットの基体を金属にて形成したことにより、合成樹脂の場合に比して強度、耐薬品性、および清掃性を向上し、また金属の素材感に基づく剛性感および硬質感から高級感を得ることができる。
【０００８】
基体の対向する２辺を後方に向かって屈曲させることにより、該基体の屈曲部がスペーサーの一部を構成することができる。
【０００９】
上記構成によれば、基体の背面側に配線のための空間を設けつつ、基体側面にも金属を露出させることができる。また基体のたわみに対する剛性が向上するため、板材を用いても鏡などの支持物に対して十分な剛性を得ることができる。またスペーサーの部材が削減できるため、部材数の削減を図ることができる。
【００１０】
基体は、両側辺を後方に向かって２度屈曲させたリップ溝形とすることにより、該基体の屈曲部がスペーサーの一部を構成することを特徴とする。
【００１１】
上記構成によれば、基体のたわみに対する剛性をさらに向上させることができる。また壁面に当接する縁が屈曲させた角となるため、外観上の収まりがよい。
【００１２】
基体は、ステンレス鋼にて形成されていることが好ましい。これにより、特に耐薬品性、耐候性を向上させることができる。また素材感に基づく剛性感および硬質感においても、他の金属素材よりも程度の高い高級感を使用者に与えることができる。
【００１３】
基体の下端には、前方に突出して棚を構成する棚兼用端部部材が取り付けられていることが好ましい。これにより部材数を削減することができ、部品コストの低減および施工性の向上を図ることができる。
【００１４】
鏡は、基体の前方にヒンジを介して回動可能に取り付けられることが好ましい。また、鏡は基体に前方に突出するように設けられた桟に取り付けられており、鏡と基体との間に収納用の空間が形成されていることが好ましい。これにより鏡を蓋体とする収納部を構成することができる。また鏡が三面鏡である場合には両側の２面をヒンジを介して回動可能とするが、さらに中央の面もヒンジを介して回動可能に取り付けることが好ましい。
【００１５】
本発明にかかる洗面化粧台の代表的な構成は、上記ミラーキャビネットと、湯水を供給する水栓と、排水口を備えた洗面ボールとを備えた洗面カウンターと、を備えたことを特徴とする。上記の如くミラーキャビネットの基体を金属にて形成することにより、強度、耐薬品性および清掃性を向上し、また金属の素材感に基づく剛性感および硬質感から高級感を得ることのできる洗面化粧台とすることができる。
【発明の効果】
【００１６】
本発明によれば、基体を金属にて形成することにより、強度、耐薬品性および清掃性を向上し、また金属の素材感に基づく剛性感および硬質感から高級感を得ることができるミラーキャビネット、およびこれを備えた洗面化粧台を提供することができる。
【発明を実施するための最良の形態】
【００１７】
［第１実施形態］
本発明にかかるミラーキャビネットおよび洗面化粧台の第１実施形態について説明する。本実施形態においてミラーキャビネットおよび洗面化粧台は、一面鏡の構成である。図１は第１実施形態にかかる洗面化粧台の分解斜視図、図２は第１実施形態にかかる洗面化粧台の外観斜視図、図３は第１実施形態にかかるミラーキャビネットを背面から見た分解斜視図である。なお、以下の実施例に示す寸法、材料、その他具体的な数値などは、発明の理解を容易とするための例示に過ぎず、特に断る場合を除き、本発明を限定するものではない。
【００１８】
図１および図２に示すように、洗面化粧台１は、洗面カウンター１０と、ミラーキャビネット２０とから構成されている。洗面カウンター１０は、湯水を供給する水栓１１と、排水口１２ａを備えた洗面ボール１２とを備えている。また洗面ボールの下方には収納棚１３が設けられている。
【００１９】
ミラーキャビネット２０は、金属製の基体２１と、基体２１の前方に取り付けられた鏡２２とを備えている。基体２１は、両側辺を後方に向かって２度屈曲させたリップ溝形（Ｃ形もしくはＣチャン形状ともいう）に形成されている。基体２１の背面、すなわちリップ溝形の内部には、裏補強板３０が配置されている（図３参照）。
【００２０】
基体２１には鏡２２の重量を支持するために縦方向にたわむ荷重がかかるが、上記のようにリップ溝形とすることにより、板材であっても十分な剛性（たわみにくい性質）を得ることができる。従って板材を曲げるだけといった単純な加工によって剛性の高い基体２１を形成することができ、かつ、製造工程の単純化および短縮化を図ることが可能となるので、生産性を向上させることができる。
【００２１】
基体２１の材質としてはステンレス鋼、アルミニウム、鉄鋼などを選択することができる。鉄鋼材料の場合は、防錆のために、また手垢などの汚れの付着を防止するために、塗装またはめっき処理などの表面処理をすることが好ましい。このように金属材料を用いたことにより、金属の素材感に基づく剛性感および硬質感から美観を向上し、高級感を得ることができる。
【００２２】
また金属材料は樹脂材料に比して強度（破壊強度）が大きいため、立体的な構造をとらずとも後述する鏡２２や収納トレイ２８などの支持物を支持することができる。このことは基体２１を単純なフラット形状にできることに寄与しており、視覚的な大仰感を低減し、美観を向上させると共に、清掃性を向上させることができる。
【００２３】
基体２１の材質としては、上記の中でも特にステンレス鋼を選択することが好ましい。これにより、特に耐薬品性、耐候性、剛性および強度を向上させることができる。またステンレス鋼は組織が緻密であることから研磨することにより美観に優れている。さらに社会通念上、使用者はステンレス鋼に対して剛性感および硬質感、耐久性などに優れていると感じることが期待できるため、他の金属素材よりも程度の高い高級感を使用者に与えることができる。
【００２４】
基体２１の上端には、本体上キャップ２３が取り付けられる。本体上キャップ２３は、裏補強板３０の上端ブロック３２ａに締結固定される。基体２１の下端には、本体下キャップ２４が取り付けられている。本体下キャップ２４は、裏補強板３０の下端ブロック３２ｂに締結固定され、基体２１の下面を覆う蓋部２４ａと、前方に突出して棚を構成する棚部２４ｂとからなり、棚兼用端部部材を構成している。このように本体下キャップ２４が棚をかねていることにより、部材数を削減することができ、部品コストの低減および施工性の向上を図ることができる。
【００２５】
ここで、基体２１の両側辺に形成された屈曲部分と、上端ブロック３２ａおよび下端ブロック３２ｂによって、基体の後方に空間を形成するスペーサーが構成される。この空間には、後述するように照明ユニット２５などに電気的に接続するための配線が設けられる。
【００２６】
基体２１の前面には、鏡２２が取り付けられている。本実施形態において洗面化粧台１は一面鏡であり、一枚の鏡２２が固定的に取り付けられている。鏡２２は上端及び下端に配置された鏡支持具２２ａと、場合により接着剤や両面テープを用いて取り付けられる。鏡支持具２２ａは鏡２２の上辺または下辺に嵌合される掛止部材であって、基体２１を介して裏補強板３０にネジ止めにより締結される。また鏡２２の背面には、曇り止めのための不図示のヒーターユニットが配置されている。
【００２７】
基体２１の前面であって鏡２２の上方には、照明ユニット２５が取り付けられている。照明ユニットの両側には照明カバー２６を取り付けるためのＬ字形のステー２７が取り付けられている。ステー２７は基体２１を介して裏補強板３０に締結されており、ステー２７の起立した側面に照明カバー２６の側面が締結固定される。またステー２７および裏補強板３０には貫通穴が設けられており、この貫通穴を介して長ネジ１４を用いてミラーキャビネット２０を壁面に固定する。
【００２８】
基体２１の前面であって鏡２２の両脇には、複数の収納トレイ２８が取り付けられる。収納トレイ２８は、基体２１の表面に取り付けられたトレイフック２９に対して嵌合することにより、着脱可能となっている。トレイフック２９は前方側が幅広に形成されており、その側面に上下方向の溝を形成している。一方、収納トレイの取付部には溝と摺動嵌合するリブが形成されている。また鏡２２の脇には、照明ユニット２５やヒーターユニットを操作するためのスイッチ３４が設けられている。
【００２９】
図３に示すように、基体２１の背面に配置された裏補強板３０は、基体２１の背面のほぼ全面を覆う面積を備えた板部３１と、板部３１に取り付けられた複数のブロック３３とから構成されている。ブロック３３は、主に基体２１の前面に取り付けられる各種付属品を締結固定する際のネジ受けとして設けられている。付属品としては上述したように、鏡２２や収納トレイフックなどが、基体２１を介して裏補強板３０に取り付けられる。
【００３０】
また基体２１の後方、すなわちリップ溝形の内部には、照明ユニット２５、ヒーターユニット、およびスイッチ３４に対する配線がなされている。すなわち基体２１の形状がリップ溝形であることは、剛性の向上のみでなく、基体２１の背面側に配線のための空間を設ける役割をも有している。さらに、そのような空間を設けつつ、基体側面にも金属面を露出させることができる効果を有している。
【００３１】
上記説明した如く、本実施形態にかかるミラーキャビネットおよび洗面化粧台においては、基体２１を金属にて形成することにより、強度、耐薬品性および清掃性を向上し、また金属の素材感に基づく剛性感および硬質感から高級感を得ることができる。また基体２１の材質をステンレス鋼とすることにより、さらに顕著に上記の効果を得ることができる。また基体２１をリップ溝形としたことにより、板材であっても十分な剛性を得ることができ、背面側に配線のための空間を設けつつ、基体側面にも金属面を露出させることができる。
【００３２】
［第２実施形態］
本発明にかかるミラーキャビネットおよび洗面化粧台の第２実施形態について説明する。本実施形態においてミラーキャビネットおよび洗面化粧台は、三面鏡の構成である。図４は第２実施形態にかかる洗面化粧台の分解斜視図、図５は第２実施形態にかかる洗面化粧台の外観斜視図であって、上記第１実施形態と説明の重複する部分については、同一の符号を付して説明を省略する。
【００３３】
図４に示すように、本実施形態にかかる洗面化粧台２のミラーキャビネット４０においては、基体２１の上端に本体上キャップ２３（図１参照）に代えて照明受け桟４２が取り付けられる。また基体２１の三面鏡４１の下端に対応する位置には、鏡受け桟４３が取り付けられる。照明受け桟４２および鏡受け桟４３の前面には複数のヒンジ４４が設けられており、これに三面鏡４１の各鏡を取り付けることにより、鏡は回動可能に取り付けられる。三面鏡４１の両側の袖鏡４１ｂ、４１ｃは中央の主鏡４１ａ側の端部においてヒンジ４４に接続される。さらに主鏡４１ａもヒンジ４４に接続されており、基体２１に対して回動可能に構成されている。
【００３４】
照明受け桟４２および鏡受け桟４３は基体２１に対して前方に突出するように設けられており、これにより三面鏡４１と基体２１との間に収納用空間が形成されている。この収納用空間の側面には本体サイドカバー４５が取り付けられる。本体サイドカバー４５は基体２１に締結されるほか、照明受け桟４２および鏡受け桟４３の側面（端部）と嵌合する。これら照明受け桟４２、鏡受け桟４３、本体サイドカバー４５によって三面鏡４１を蓋体とする箱形構造が構成され、三面鏡４１の荷重に対してもゆがみや傾きの生じない頑強な構造体となる。
【００３５】
三面鏡４１と基体２１の間の収納用空間には、複数の収納トレイ２８が取り付けられる。収納トレイ２８は、基体２１の表面に取り付けられたトレイフック２９に対して嵌合することにより、着脱可能となっている。また複数の収納トレイ２８の中央にはサイズの大きな中央トレイ４７が取り付けられており、大きめの物も収納可能に構成されている。
【００３６】
照明受け桟４２の前面には照明ユニット２５が取り付けられ、また照明ユニット２５を覆うように照明カバー４６が着脱可能に取り付けられている。また照明受け桟４２の下方には基体２１および背面のブロック３３を貫通する不図示の貫通穴が設けられており、この貫通穴を介して長ネジを用いてミラーキャビネット４０を壁面に固定する。
【００３７】
図５に示すように洗面化粧台２を組み立てた状態においては、第１実施形態の構成に比して（図２参照）、基体２１の露出部分が少ない。しかし基体２１の側面は常に露出しており、また三面鏡４１を開いた際には必ず大きく基体２１の表面が視認される。このとき鏡のガラスの質感と、基体２１の金属の素材感に基づく剛性感および硬質感から、美観の統一感が感じられるため、高級感を得ることができる。
【００３８】
また本実施形態においても、基体２１をリップ溝形にしたことによる剛性および生産性の向上、金属材料を用いたことによる強度向上、形状の単純化、清掃性の向上、さらにステンレス鋼を用いた場合の耐薬品性、耐候性、さらなる美観と強度の向上については、上記第一実施形態と同様である。
【００３９】
なお、上記第１実施形態においては鏡２２を直接固定的に基体２１に取り付けるよう説明した。しかし一面鏡であっても、第２実施形態に示した三面鏡４１のように照明受け桟４２や鏡受け桟４３を用いて基体２１から離隔させた状態で回動可能に取り付け、鏡２２の裏側に収納用空間を設けてもよい。
【００４０】
また上記各実施形態において、基体２１は後方に向かって２度屈曲させたリップ溝形として説明した。しかし本発明はこれに限定するものではなく、基体の対向する２辺を一度だけ後方に向かって屈曲させたコの字形としてもよい。また屈曲させる２辺は側辺でなくとも良く、上下辺であってもよい。さらに基体を金属の平板とし、４辺からなるスペーサーによって支持することでもよい。これらのいずれの構成にあっても、ミラーキャビネットの基体を金属にて形成したことにより、合成樹脂の場合に比して強度、耐薬品性、および清掃性を向上し、また金属の素材感に基づく剛性感および硬質感から高級感を得ることができる。
【００４１】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は、洗面カウンターと共に設置されるミラーキャビネット、もしくはこれらを含む洗面化粧台として利用することができる。
【図面の簡単な説明】
【００４３】
【図１】第１実施形態にかかる洗面化粧台の分解斜視図である。
【図２】第１実施形態にかかる洗面化粧台の外観斜視図である。
【図３】第１実施形態にかかるミラーキャビネットを背面から見た分解斜視図である。
【図４】第２実施形態にかかる洗面化粧台の分解斜視図である。
【図５】は第２実施形態にかかる洗面化粧台の外観斜視図である。
【符号の説明】
【００４４】
１、２…洗面化粧台
１０…洗面カウンター
１１…水栓
１２…洗面ボール
１２ａ…排水口
１３…収納棚
１４…長ネジ
２０…ミラーキャビネット
２１…基体
２２…鏡
２２ａ…鏡支持具
２３…本体上キャップ
２４…本体下キャップ
２４ａ…蓋部
２４ｂ…棚部
２５…照明ユニット
２６…照明カバー
２７…ステー
２８…収納トレイ
２９…トレイフック
３０…裏補強板
３１…板部
３２ａ…上端ブロック
３２ｂ…下端ブロック
３３…ブロック
３４…スイッチ
４０…ミラーキャビネット
４１…三面鏡
４１ａ…主鏡
４１ｂ、４１ｃ…袖鏡
４２…照明受け桟
４３…鏡受け桟
４４…ヒンジ
４５…本体サイドカバー
４６…照明カバー
４７…中央トレイ
【図１】
2008136502.tif 000003
【図２】
2008136502.tif 000004
【図３】
2008136502.tif 000005
【図４】
2008136502.tif 000006
【図５】
2008136502.tif 000007